(57)【要約】【課題】  ねじ等の固定手段を用いることなく、側枠を、支柱の前面に簡単かつ確実に取り付ける。【解決手段】  支柱２の前面に、平面視前向きコ字状をなす保持部を有するとともに、該保持部の背面に係止爪３４、３５が突設された取付部材２９を、係止爪３４、３５を支柱２のいずれかの係合孔８に係合させて取付け、保持部に、側枠１０の後部の縦杆１３を嵌合する。【選択図】  図８
2005074166.tif 000002
【特許請求の範囲】
【請求項１】
前面に複数の係合孔が上下方向に所定間隔おきに穿設され、かつ下端に前方を向くベース脚が連結された支柱を、左右方向に離間させて互いに連結してなる陳列什器における前記支柱の前面に、側枠を取付けるための取付構造であって、
前記支柱の前面に、平面視前向きコ字状をなす保持部を有するとともに、該保持部の背面に係止爪が突設された取付部材を、前記係止爪を前記支柱のいずれかの係合孔に係合させて取付け、前記保持部に、前記側枠の後部の縦杆を嵌合して保持したことを特徴とする陳列什器における側枠の取付構造。
【請求項２】
上下１対の係止爪を、係合孔との係止部が互いに対向するように上下対称的に設け、上部の係止爪を上位の係合孔に係合させるとともに、下部の係止爪を下位の係合孔に嵌合させて、取付部材を支柱の前面に取付けた請求項１記載の陳列什器における側枠の取付構造。
【請求項３】
取付部材の保持部を、垂直板状の基片と、この基片の一側縁と他側縁の中間部から前方へ直角に延出する左右の保持片とにより形成し、かつ前記基片の上下の端部における左右方向の中間部を後向きに延出することにより、上下１対の係止爪とした請求項１または２記載の陳列什器における側枠の取付構造。
【請求項４】
側枠における後部の縦杆の後面の上下部に係合孔を設け、該上下の各係合孔と支柱の係合孔とに、係止部材の前後のフックを係止することにより、前記縦杆の上下部を支柱に係止した請求項１〜３のいずれかに記載の陳列什器における側枠の取付構造。
【請求項５】
側枠における下部の横杆を、下端部をベース脚の上端に差し込んだ受け部材における上端の正面視上向きコ字状をなす受け部に嵌合して受支した請求項１〜４のいずれかに記載の陳列什器における側枠の取付構造。
【発明の詳細な説明】
【技術分野】
【０００１】
本発明は、商品陳列棚等の陳列什器における支柱の前面に、側枠（サイドパネルを含む）を取付けるための取付構造に関する。
【背景技術】
【０００２】
従来の商品陳列棚において、左右１対の支柱の前面に側枠(エンドフレーム)を取付けるには、側枠の後部縦杆に、後端に係止爪を有する平面視後向きコ字状の係合具をねじ止めし、その係止爪を支柱の前面の係止孔に係合させて取付けている（例えば特許文献１参照）。
【特許文献１】特開２０００−９３２３７号公報（図２及び図３）
【発明の開示】
【発明が解決しようとする課題】
【０００３】
上述のような従来の側枠の取付構造では、係合具をねじにより側枠の後部縦杆に固定しているため、ねじが露出して見栄えが悪いだけでなく、係合具の取付け工数も多く、かつ係合具にねじの挿通孔を穿設したり、後部縦杆にねじ孔を設ける必要があるため、加工工数が増え、コスト高となる。
【０００４】
また、側枠の上下寸法が大きい場合には、その中間部が側方に撓むのを防止するために、後部縦杆の中間部も係止具により固定する必要があり、係止具の数が増えて、その取付けに手間がかかるとともに、加工工数も増加することとなる。
【０００５】
本発明は、従来の技術が有する上記のような問題点に鑑み、ねじ等の固定手段を用いることなく、側枠を、支柱の前面に見栄えよく簡単かつ確実に取付けることができるようにした、陳列什器における側枠の取付構造を提供することを目的としている。
【課題を解決するための手段】
【０００６】
本発明によると、上記課題は、次のようにして解決される。
（１）前面に複数の係合孔が上下方向に所定間隔おきに穿設され、かつ下端に前方を向くベース脚が連結された支柱を、左右方向に離間させて互いに連結してなる陳列什器における前記支柱の前面に、側枠を取付けるための取付構造であって、支柱の前面に、平面視前向きコ字状をなす保持部を有するとともに、該保持部の背面に係止爪が突設された取付部材を、前記係止爪を前記いずれかの係合孔に係合させて取付け、前記保持部に、前記側枠の後部の縦杆を嵌合して保持する。
【０００７】
（２）上記(１)項において、上下１対の係止爪を、係合孔との係止部が互いに対向するように上下対称的に設け、上部の係止爪を上位の係合孔に係合させるとともに、下部の係止爪を下位の係合孔に嵌合させて、取付部材を支柱の前面に取付ける。
【０００８】
（３）上記(１)項または(２)項において、取付部材の保持部を、垂直板状の基片と、この基片の一側縁と他側縁の中間部から前方へ直角に延出する左右の保持片とにより形成し、かつ前記基片の上下の端部における左右方向の中間部を後向きに延出することにより、上下１対の係止爪とする。
【０００９】
（４）上記(１)〜(３)項のいずれかにおいて、側枠における後部の縦杆の後面の上下部に係合孔を設け、該上下の各係合孔と支柱の係合孔とに、係止部材の前後のフックを係止することにより、前記縦杆の上下部を支柱に係止する。
【００１０】
（５）上記(１)〜(４)項のいずれかにおいて、側枠における下部の横杆を、下端部をベース脚の上端に差し込んだ受け部材における上端の正面視上向きコ字状をなす受け部に嵌合して受支する。
【発明の効果】
【００１１】
請求項１記載の発明によれば、側枠における後部の縦杆が、支柱に係止された取付部材のコ字状の保持部に嵌合されているため側枠に左右方向の外力が加わっても、側方に撓んだり、変形したりする恐れはない。
また、側枠をねじ等の固定手段を用いることなく、支柱の前面に見栄えよく、簡単かつ確実に保持することができる。
さらに、側枠には何ら加工を施す必要がないので、加工コストを低減することができる。
【００１２】
請求項２記載の発明によれば、取付部材を上下反対向きとすることにより、下部の係止爪を支柱の上位の係合孔に係合可能となるので、１種類の取付部材を左右共通化して左右の支柱に取付けることができ、製造コスト及び部品点数が削減される。
【００１３】
請求項３記載の発明によれば、取付部材を、板材をプレス加工するだけで簡単に製造できるとともに、上下寸法の小さな一方の側縁の保持片を、外側に位置させて組付けることにより、人の目に触れる露出部分が小さくなるので、見栄えがよくなる。
【００１４】
請求項４記載の発明によれば、側枠に係止部材等の固定手段を予め固着しておかなくてよく、側枠を支柱に組み付ける際に、係止部材をその場で簡単に側枠に装着して、側枠を支柱に係止させることができる。
したがって、側枠を支柱に組み付けるまで、側枠を係止部材等の突起物がない状態で運搬できるので便利であり、また係止部材を溶接やねじ止め等の手段により固着する等の特殊な加工を側枠に施す必要がないので、加工工数が少なくてすみ、しかも、側枠を簡単かつ確実に支柱に取付けることができ、組み付け作業性がよい。
【００１５】
請求項５記載の発明によれば、側枠の下部の横杆を、ベース脚に簡単に保持して、側枠を支柱に安定して取付けることができるだけでなく、側枠をベース脚や支柱と同一の垂直面内に配設することができる。
【発明を実施するための最良の形態】
【００１６】
図１は、本発明の最良と思われる一実施形態を備える陳列什器、すなわち商品陳列棚の分解斜視図、図２は、同じく、陳列什器の右下部の一部を破断して示す部分拡大正面図である。
【００１７】
この陳列什器は、下端に前方を向くベース脚(１)が連結された左右１対の支柱(２)(２)の上端部同士を横連結杆(３)により連結するとともに、両支柱(２)間に背板(４)を取り付け、両ベース脚(１)(１)上にベース棚板(５)を載置し、両ベース脚(１)(１)の前端にキックプレート(６)を取り付け、さらに、ベース脚(１)の外側面にベースサイドカバー(７)を取り付けたものよりなっている。
【００１８】
左右の支柱(２)は、前後方向に長い鋼製の角管よりなり、その前面には、左右２列の多数のスリット状の係合孔(８)が、上下方向に等間隔おきに穿設されている。
【００１９】
(９)は、左右の支柱(２)のいずれか一方または両方の前方に配設されるサイドパネルで、図３に示すように、側面視ほぼ方形枠状をなして前方を向く側枠(10)と、その内側に張設されたネット部材(11)とを備えている。ネット部材(11)は、この例では、鋼線のような金属線(12)を格子状に組んだものとしてある。なお、サイドパネル(９)は、図１に示す陳列什器を１単位として複数単位の陳列什器を左右方向に並べて使用する場合には、その最も外側の支柱(２)だけに配置される。
左右の支柱(２)における内方の列の係合孔(８)には、図示しないブラケットが装着可能であり、このブラケットにより上下方向に所定間隔で複数の棚板を支持することができる。
【００２０】
側枠(10)は、角管状をなす前後１対の縦杆(13)(13)と、同じく上下１対の横杆(14)(14)とからなり、図４に示すように、後部の縦杆(13)の後面上下部には、上下１対ずつのスリット状の係合孔(15)(15)が穿設されている。
【００２１】
上記係合孔(15)が後部の縦杆(13)の中心線より一方に片寄っているのは、図２に示すように、支柱(２)の前面における右半部または左半部の前方に側枠(10)を配設したときに、係合孔(15)の左右方向の位置が係合孔(８)と一致するようにするためである。したがって、同一の側枠(10)を上下反転させることにより、右用、左用の区別なしに単一のサイドパネル(９)で対応することができる。
【００２２】
(16)は、図１及び図３に示すように、側枠(10)における後部の縦杆(13)を支柱(２)に係止するための係止部材(16)で、図５に拡大して示すように、金属製の板材により形成され、前方を向き、かつ前上部を斜切した上向きフック(17)と、前方を向き、かつ前下部をほぼ四半円状とした下向きフック(18)と、後方を向く下向き鉤状のフック(19)とを備えている。
【００２３】
図６に示すように、前方の上向きフック(17)と下向きフック(18)との前方への突出量(Ｌ１)は、側枠(10)の後部の縦杆(13)の中空部の前後幅(Ｌ２)にほぼ等しいか、またはこれよりも若干短い長さに設定されている。
【００２４】
また、下向きフック(18)の下端部後縁には、微小な段部(20)が設けられており、ここに側枠(10)の係合孔(15)の下縁が係合するようにしてある。この係合時において、下向きフック(18)における係合孔(15)の下縁から下方への突出量(Ｌ３)は、僅少としてある。
【００２５】
(21)は、側枠(10)の下部の横杆(14)をベース脚(１)上に受止するための受け部材で、図７に拡大して示すように、鋼板等の金属板をプレス加工することにより、垂直板状の基片(22)と、基片(22)の前後の中位部より一側方に延出する水平片(23)と、水平片の先端より起立する起立片(24)とが一体的に形成され、基片(22)における水平片(23)より下方の部分により、図２及び図８に示すように、ベース脚(１)の上端に形成された前後方向を向く差し込み溝(25)に上方より差し込まれて支持される差し込み部(26)が形成され、また基片(22)における水平片(23)より上方の部分と水平片(23)と起立片(24)とにより、側枠(10)における下方の横杆(14)に下方より嵌合される正面視ほぼ上向きコ字状の受け部(27)が形成されている。
【００２６】
受け部(27)の幅すなわち水平片(23)の長さは、前述の側枠(10)における下方の横杆(14)の幅にほぼ等しくされている。
【００２７】
受け部材(21)は、基片(22)が陳列什器の内側に位置し、かつ起立片(24)が外側に位置するようにして、基片(22)と起立片(24)とにより、側枠(10)における下方の横杆(14)を内外から挟むようになっている。なお、起立片(24)の上端を、基片(22)の上端より低く形成することにより、受け部材(21)が外部にあまり露呈しないようにしている。
【００２８】
基片(22)の上端部の中央部には、側枠(10)における下部横杆(14)の内方の上縁に弾性係合することにより、横杆(14)より受け部材(21)が外れるのを防止する突起(28)が突設されている。
【００２９】
図２に示すように、ベース脚(１)の上端部には、正面視上向きコ字状に形成することにより、その上端に前後方向を向く差し込み溝(25)が形成され、この差し込み溝(25)には、ベース脚(１)上に載置されたベース棚板(５)の側端より垂下する側片(5a)、及びベース脚(１)の外側面を覆うベースサイドカバー(７)の上端部における内下向き折り返し片(7a)がともに嵌合され、それらの対向面間に挾まれるようにして、受け部材(21)における差し込み部(26)が上方より差し込まれている。
【００３０】
図９は、側枠(10)の別の取付部材の拡大斜視図で、この取付部材(29)は、図１、図２及び図８にも示すように、陳列什器の左右の支柱(２)の前面に、側枠(10)における後部縦杆(13)の中間部を取付けるためのものであり、鋼板等の金属板をプレス加工して一体形成されている。
【００３１】
取付部材(29)は、垂直板状の基片(30)と、その一側縁より前方へ直角に延出する第１保持片(31)と、基片(30)の他側縁の中間部より前方へ直角に延出する第２の保持片(32)とからなる平面視前向きコ字状の側枠保持部(33)を備え、かつ第２保持片(32)を挟む基片(30)の上下の端部には、基片(30)の左右方向の中間部より後向きに延出する下向き鉤状の係止爪(34)と上向き鉤状の係止爪(35)とが、互いの係止部(36)(36)が対向するように上下対称的に形成されている。
【００３２】
両係止爪(34)(35)は、支柱(２)の係合孔(８)のいずれか２個に嵌合されて、上部の係止爪(34)の係止部(36)が係合孔(８)に係合して抜け止めされるようになっている（図８参照）。
【００３３】
また、上下反対向きとして用いることにより、下部の係止爪(35)の係止部(36)が係合孔(８)と係合して抜け止めされる。従って、左右の側枠(10)に対し、１種類の取付部材(29)で対応することができる。
【００３４】
側枠保持部(33)の幅、すなわち左右の保持片(31)(32)の対向面間の寸法は、側枠(10)における後部の縦杆(13)の幅にほぼ等しくされ、保持部(33)が縦杆(13)にがたなく嵌合されている（図１０参照）。
【００３５】
側枠(10)の取付けにあたっては、まず図６に示すように、側枠(10)における後部の縦杆(13)の上下の係合孔(15)に、係止部材(16)の上向きフック(17)を下から斜めに差し入れて、垂直姿勢にしてから下方に落とし、段部(20)を係合孔(15)の下縁に係合させる。
【００３６】
ついで、図９に示す取付部材(29)の上下の係止爪(34)(35)を、陳列什器における左右の支柱(２)に穿設された外側の列の中間部の２個の係合孔(８)に、第２保持片(32)が外側に位置するように嵌合したのち、下方に落とし、上部側に位置する係止爪(34)または(35)を、上位の係合孔(８)に係合させる。
【００３７】
ついで、図７に示す受け部材(21)を、その受け部(27)を側枠(10)の下部横杆(14)の前端部に下方より嵌合することにより、取付ける。この際、左右共通とした受け部材(21)の起立片(24)がサイドパネル(９)の外側に位置するようにする。
【００３８】
このように準備した後、サイドパネル(９)を支柱(２)の前上方からその前面に対して近付けて、取付部材(29)の受け部(33)に後部の縦杆(13)を嵌合すると同時に、上下２個の係止部材(16)の下向きフック(19)を支柱(２)の係合孔(８)に係合させ、さらに、側枠(10)の下方の横杆(14)に取付けた受け部材(21)における差し込み部(26)を、ベース脚(１)の差し込み溝(25)において、ベース棚板(５)の側片(5a)とベースサイドカバー(７)の内下向き折り返し片(7a)との間の隙間に上方より嵌合する。
【００３９】
図２及び図８は、サイドパネル(９)の取付終了状態を示している。
なお、上記実施形態では、側枠(10)にネット部材(11)を張設して、サイドパネル(９)を形成しているが、側枠(10)に、透光性、半透光性、または不透光性のパネルを張設して、サイドパネル(９)を形成してもよい。
【００４０】
また、上述の例では、側枠(10)の上下の端部を、係止部材(16)をもって支柱(２)に係止するようにしているが、側枠(10)の支柱(２)への取付手段は、これに限らず、他の手段によってもよい。
側枠(10)の上下寸法が大きい場合には、その後部縦杆(13)の中間部を複数の取付部材(29)により保持してもよいことは勿論である。
【図面の簡単な説明】
【００４１】
【図１】本発明の一実施形態を備える陳列什器を分解して示す外観斜視図である。
【図２】同じく、陳列什器の右下部の一部を破断して示す拡大正面図である。
【図３】同じく、サイドパネルとその取付部材とを示す拡大斜視図である。
【図４】同じく、側枠の中間部分を省略して示す背面図である。
【図５】同じく、係止部材の拡大斜視図である。
【図６】同じく、係止部材を取り付けた側枠の後部の拡大縦断側面図である。
【図７】同じく、受け部材の拡大斜視図である。
【図８】同じく、側枠を取り付けた陳列什器の下部の一部切欠き側面図である。
【図９】同じく、取付部材の拡大斜視図である。
【図１０】図８のＸ−Ｘ線の横断平面図である。
【符号の説明】
【００４２】
(１)ベース脚
(２)支柱
(３)横連結杆
(４)背板
(５)ベース棚板
(5a)側片
(６)キックプレート
(７)ベースサイドカバー
(7a)内下向き折り返し片
(８)係合孔
(９)サイドパネル
(10)側枠
(11)ネット部材
(12)金属線
(13)縦杆
(14)横杆
(15)係合孔
(16)係止部材
(17)上向きフック
(18)(19)下向きフック
(20)段部
(21)受け部材
(22)基片
(23)水平片
(24)起立片
(25)差し込み溝
(26)差し込み部
(27)受け部
(28)突起
(29)取付部材
(30)基片
(31)第１保持片
(32)第２保持片
(33)側枠保持部
(34)(35)係止爪
(36)係止部
【図１】
2005074166.tif 000003
【図２】
2005074166.tif 000004
【図３】
2005074166.tif 000005
【図４】
2005074166.tif 000006
【図５】
2005074166.tif 000007
【図６】
2005074166.tif 000008
【図７】
2005074166.tif 000009
【図８】
2005074166.tif 000010
【図９】
2005074166.tif 000011
【図１０】
2005074166.tif 000012